【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
リモコン送信装置から発せられたリモートコントロール信号をワイヤレスで受信する受信部と、
光学装置に設けられたコネクタに対して着脱可能に装着されるコネクタ部と、を有し、
前記受信部で受信したリモートコントロール信号に基づいて、前記光学装置を制御することを特徴とするリモコン受信装置。
【請求項２】
請求項１に記載のリモコン受信装置と、
前記リモコン受信装置に対してリモートコントロール信号を送信するリモコン送信装置とを有することを特徴とするリモートコントロールシステム。
【請求項３】
請求項２に記載のリモートコントロールシステムと、
該リモートコントロールシステムによってリモートコントロールされる少なくとも１つの光学装置を含むカメラシステムとを有することを特徴とするリモート撮影システム。
【請求項４】
光学手段を有する撮影装置と、
スイッチで遠隔より操作されるスイッチ操作手段及び、前記スイッチ操作手段の操作に応じて指令信号を発光発信する発信手段を有し、前記撮影装置の撮影に関わる操作を遠隔より指示する遠隔操作装置と、
前記発信手段が発信する光信号を受信する受光手段を備えた受光装置と、
前記受光装置が受信する信号に基づいて前記撮影装置を制御する制御手段とを有することを特徴とする撮影システム。
【手続補正２】
【補正対象書類名】明細書
【補正対象項目名】０００６
【補正方法】変更
【補正の内容】
【０００６】
リモートスイッチユニット１５のスイッチをON/OFFした場合、そのON/OFF信号がケーブル１６を介してドライブユニット１０及びテレビレンズ９に出力される。このように、リモートスイッチユニット１５を用いることで、三脚使用時であってもドライブユニット１５に手を伸ばさなくてもカメラマンの手元で容易にVTRスイッチとRETスイッチを操作することができる。
【手続補正３】
【補正対象書類名】明細書
【補正対象項目名】０００７
【補正方法】変更
【補正の内容】
【０００７】
ところが、テレビ局のスタジオ等での撮影形態はさまざまであり、テレビカメラ１１を肩に担いで撮影するケースや、テレビレンズ９が装着されたテレビカメラ１１を三脚１２に固定して撮影するケース、三脚１２にテレビカメラ１１を固定して撮影している途中で、瞬時にテレビカメラ１１を三脚１２から取り外し、肩で担いで撮影に移るケースもある。
【手続補正４】
【補正対象書類名】明細書
【補正対象項目名】０００８
【補正方法】変更
【補正の内容】
【０００８】
このような場合、前述したリモートスイッチユニット１５を用いると、リモートスイッチユニット本体は三脚１２のパン棒１３に固定されているため、カメラ１１を三脚１２から外す時には、リモートスイッチユニット１５のケーブル１６をドライブユニット１０から取り外す必要があり、カメラ１１と三脚１２の着脱頻度が高い撮影時には機動性に欠ける欠点がある。
【手続補正５】
【補正対象書類名】明細書
【補正対象項目名】０００９
【補正方法】変更
【補正の内容】
【０００９】
また、瞬時に三脚撮影から肩担ぎ撮影に移る時に、リモートスイッチユニット１５のケーブル１６をドライブユニット１０から取り外す作業を忘れ、ケーブル１６の引っ張りというトラブルが発生するおそれがある。
【手続補正６】
【補正対象書類名】明細書
【補正対象項目名】００１０
【補正方法】変更
【補正の内容】
【００１０】
このような問題を解決するために、ケーブル接続しているリモートスイッチユニットとドライブユニットを、ワイヤレスリモコンを用いて通信する方法が考えられる（例えば、特許文献１参照）。
【手続補正７】
【補正対象書類名】明細書
【補正対象項目名】００１３
【補正方法】変更
【補正の内容】
【００１３】
上記課題を解決するために本願発明のリモコン受信装置は、リモコン送信装置から発せられたリモートコントロール信号をワイヤレスで受信する受信部と、光学装置に設けられたコネクタに対して着脱可能に装着されるコネクタ部と、を有し、受信部で受信したリモートコントロール信号に基づいて、光学装置を制御することを特徴とする。
【手続補正８】
【補正対象書類名】明細書
【補正対象項目名】００１４
【補正方法】変更
【補正の内容】
【００１４】
本願発明のリモコン受信装置によれば、光学装置に設けられたコネクタに対して着脱可能に装着（接続）されるコネクタ部を有するため、汎用性の高いリモコン受信装置を提供することができる。
【手続補正９】
【補正対象書類名】明細書
【補正対象項目名】００１５
【補正方法】変更
【補正の内容】
【００１５】
さらに、リモコン送信装置及び光学装置の通信に用いられるケーブルなどの有線が不要となるため、ケーブルの引っ張りや機動性の低下を軽減することができる。
【手続補正１０】
【補正対象書類名】明細書
【補正対象項目名】００２２
【補正方法】変更
【補正の内容】
【００２２】
１１は映像を映し出し、テレビ映像の録画等が可能なカメラであり、１２はカメラ１１を支持する三脚である。１３はカメラ１１をパン方向に駆動するときに操作されるパン用操作棒であり、このパン用操作棒１３に対して送信ユニット４がテープなどを介して固定されている。送信ユニット４がパン用操作棒１３に固定された状態において、送信ユニット４の発光素子５は、受光ユニット１が位置する方向に向いている。１４はドライブユニット１０に設けられたデマンド用コネクタ（デマンド接続用コネクタ）であり、接続コネクタ３が着脱可能に装着される。
【手続補正１１】
【補正対象書類名】明細書
【補正対象項目名】００２３
【補正方法】変更
【補正の内容】
【００２３】
レンズ本体９、ドライブユニット１０及びカメラ１１によりカメラシステムが構成される。このカメラシステムと上述のリモートコントロールシステムによりリモート撮影システムが構成される。
【手続補正１２】
【補正対象書類名】明細書
【補正対象項目名】００２４
【補正方法】変更
【補正の内容】
【００２４】
ここで、デマンド用コネクタ１４は、現在のテレビ局等で使用されているレンズ装置（ドライブユニット１０）に設けられたコネクタであるため、新規にコネクタを増設する必要はない。すなわち、受光ユニット１（接続コネクタ３）が装着される光学装置は、共通のデマンド用コネクタ１４を有している。
【手続補正１３】
【補正対象書類名】明細書
【補正対象項目名】００３２
【補正方法】変更
【補正の内容】
【００３２】
RETスイッチ７がOFFからONに切り替わっていない場合は、VTRスイッチ６のみONであるため、基本コードのデータコード部にVTRスイッチ６がONであると設定する(step109)。
【手続補正１４】
【補正対象書類名】明細書
【補正対象項目名】００３９
【補正方法】変更
【補正の内容】
【００３９】
図１０は、基本コード内の、データコード部のデータを示している。前半8bit、後半8bit及びストップビットからなるコードであり、各ビットは0又は1の信号である。また、後半8bitは前半8bitの1の補数である。
【手続補正１５】
【補正対象書類名】明細書
【補正対象項目名】００４６
【補正方法】変更
【補正の内容】
【００４６】
この周期を制御するものは、カウンタでなく、制御回路に内蔵されているタイマーでも良い。Counterのカウントアップ後、step114に進み、VTRスイッチ６及びRETスイッチ７がともにON状態の場合、step116に進みバッテリ用LED８を点灯させる。一方、VTRスイッチ６及びRETスイッチ7のうち少なくとも一方のスイッチがOFFの場合、step115に進みバッテリ用LED８を消灯する。
【手続補正１６】
【補正対象書類名】明細書
【補正対象項目名】００５２
【補正方法】変更
【補正の内容】
【００５２】
この場合、VTR及びRETスイッチ６，７がともにONからOFFに切り替わったことになるため、基本コードのデータコード部にVTR及びRETスイッチ６，７がともにOFFであることを設定する。RETスイッチ７がONからOFFとなっていない場合は、VTRスイッチ６のみがOFFであるため、基本コードデータコード部にVTRスイッチ６がOFFであると設定する（step127）。
【手続補正１７】
【補正対象書類名】明細書
【補正対象項目名】００５３
【補正方法】変更
【補正の内容】
【００５３】
step124にて、RETスイッチ７がONからOFFに切り替わっていた場合、step128に進む。この場合、RETスイッチ７のみが、ONからOFFに切り替わっているため、基本コードのデータコード部にRETスイッチがOFFであると設定する。
【手続補正１８】
【補正対象書類名】明細書
【補正対象項目名】００６０
【補正方法】変更
【補正の内容】
【００６０】
step204では、受信した基本コードがOFFコードであるかどうか確認する。もし、OFFコードであれば、データコード受信状態を終了し(step206)、続いてTimerをリセットするとともに停止する(step211)、レンズ本体９にVTRスイッチ、RETスイッチのOFF信号を出力する(step212)。そして、step201に戻る。
【手続補正１９】
【補正対象書類名】明細書
【補正対象項目名】００６２
【補正方法】変更
【補正の内容】
【００６２】
まず、Timerによって一定時間“ΔT”が経過したかどうかが確認される（step301）。経過していない場合には、step301を繰り返す。一方、経過していた場合には、データコード受信状態を終了し（step302）、レンズ本体９に、VTRスイッチ６及びRETスイッチ７がOFFである旨の信号を出力する（step303）。
【手続補正２０】
【補正対象書類名】明細書
【補正対象項目名】００６３
【補正方法】変更
【補正の内容】
【００６３】
Timer subの終了後、step208に進み、受信したデータコード部を判別し、判別したスイッチ状態に応じたレンズ出力信号に変換し(step209)、これをレンズ本体９に出力する(step210)。
【手続補正２１】
【補正対象書類名】明細書
【補正対象項目名】００７２
【補正方法】変更
【補正の内容】
【００７２】
その後、送信ユニット４が、次のスイッチ確認で、VTRスイッチ６のOFFからONへの切り替えを確認すると、VTRスイッチ６がONの基本コードを送信データとして、送信する（図１３-e）。その後、RETスイッチ７のときと同様に、前述の周期Tで同じ基本コードを再度送信する（図１３-f）。そして、VTRスイッチ６がOFFになったことを確認すると、RETスイッチ７もOFFのため、OFFコードを送信する（図１３-g）。
【手続補正２２】
【補正対象書類名】明細書
【補正対象項目名】００７４
【補正方法】変更
【補正の内容】
【００７４】
まず、RETスイッチ７がONされたことを（図１２-a）確認すると、RETスイッチ７がONの基本コードを送信する。その後も、VTRスイッチ６及びRETスイッチ７の操作状態を一定の周期で監視する。そして、次の基本コード送信前に、VTRスイッチ６がONされたことを確認すると、VTRスイッチ６及びRETスイッチ７のいずれもがONの基本コードであることを送信する（図１２-b）。
【手続補正２３】
【補正対象書類名】明細書
【補正対象項目名】００７７
【補正方法】変更
【補正の内容】
【００７７】
以上、説明したように、ドライブユニット１０のVTRスイッチ６及びRETスイッチ７を遠隔から操作するために、送信ユニット４と受光ユニット１を用いて、赤外線通信することで、従来のケーブル接続方式で問題視されている撮影時の機動性の低下やケーブルの引っ張りを解消することができる。また、十分な機動性を持ちあわせ、且つ、ドライブユニット１０に設けられたデマンド用コネクタ１４に対して受光ユニット１を着脱可能としているため、汎用性が高い。
（変形例）
受光ユニット１及びレンズ本体９を接続した状態において、そのVTR、RETの信号のやり取りは、接続、未接続（OPEN）の信号にしてもよく、受光ユニット１が、シリアル通信可能な信号線をもつデマンドコネクタ１４に接続可能であれば、通信により、VTR、RETスイッチのON、OFFの状態を出力しても良い。
【手続補正２４】
【補正対象書類名】明細書
【補正対象項目名】００７８
【補正方法】変更
【補正の内容】
【００７８】
また、VTRスイッチ６及びRETスイッチ７が同時にONされた場合、LED８を点灯し、バッテリチェックとしたが、電池や充電電池の電圧値を監視し、その出力電圧に応じて、LED８の発光する色を変えて、バッテリ（電池や充電電池）の状態を確認できるようにしても良い。
【手続補正２５】
【補正対象書類名】図面
【補正対象項目名】図１
【補正方法】変更
【補正の内容】
【図１】
2006033284.tif 000001
【手続補正２６】
【補正対象書類名】図面
【補正対象項目名】図２
【補正方法】変更
【補正の内容】
【図２】
2006033284.tif 000002
【手続補正２７】
【補正対象書類名】図面
【補正対象項目名】図３
【補正方法】変更
【補正の内容】
【図３】
2006033284.tif 000003
【手続補正２８】
【補正対象書類名】図面
【補正対象項目名】図１４
【補正方法】変更
【補正の内容】
【図１４】
2006033284.tif 000004